(57)【要約】      （修正有）【課題】食品を揚げながら循環するときにカスや残物をより効果的に収集できるようにした循環濾過式フライヤーの提供。【解決手段】ヒーター又はバーナーを利用した加熱手段２で容器１の内部にある油を加熱して食品を揚げるフライヤー装置であり、容器内部を加熱空間１１と揚げ空間１２に区画し、下側の油流入口１１１から水平部３２と垂直部３１につながり、垂直部３１の上側に油が流れるように隔離板３を設置、隔離板３の油の流入口１１１がある揚げ空間を下側まで延長してカスや残物を集める収集空間４を設置。さらに収集空間４にカスや残物を排出するバルブを装着する。加熱空間１１で加熱された油が吐出口１１２に排出されて揚げ空間１２に移動されて食品を揚げ、流入部１１１に移動する時に油に混ぜてあるカスや残物等を非加熱収集空間４で落下し、収集される。【選択図】図２
2009247838.tif 000002
【特許請求の範囲】
【請求項１】
ヒーター又はバーナーを利用して加熱手段（２）で容器（１）に入ってある油を加熱して揚げるフライヤー装置にあり、容器（１）の内部を加熱空間（１１）と揚げ空間（１２）を分離させる隔離板（３）を設置する。加熱手段（２）で加熱することで油（９）が油流入口（１１１）に流れ、隔離板（３）である水平部（３２）と垂直部（３１）に沿って流れて吐出口（１１２）を通過する仕組み。隔離板（３）は固定又は着脱が可能であるように設置、隔離板（３）があることで油が回転することになるし、回転することで揚げ物のカスや残物も油の流れと同じく流れるが、そのカスや残物を集める収集空間（４）を設けることと、カスや残物を排出するバルブ（５）を装着してカスや残物を除去できるようにするシステムである。加熱された油が吐出口（１１２）を通って流れ、揚げ空間（１２）に移動され、揚げ物を揚げ、油流入口（１１１）に移動される際に油に混ぜてあるカスや残物が収集空間（４）に集まり、収集されるようにしたのを特徴とした循環濾過式フライヤーである。
【請求項２】
請求項１において、隔離板（３）の水平部（３２）が傾斜になるように斜めにし、加熱された油が円滑に油流入部（１１１）向かって流れるようにするとカスや残物が円滑に落下又は収集ができるようにしたことを特徴とした循環濾過式フライヤーである。
【請求項３】
請求項１において、加熱空間（１１）の油流入口（１１１）にはカスや残物が加熱空間（１１）に流入することを遮断するために網（６）を着脱できるように設置し、隔離板（３）の吐出口（１１２）には揚げ物とカスや残物等が加熱空間（１１）に流入されることを防ぐためにガイド板（７）を配置し、揚げ空間（１２）の中間部分に水平になるメイン網（８）が隔離板（３）及び容器（１）の垂直面に付着された足場（１３）に載せて揚げ物が加熱空間（１１）及び収集空間（４）に落下することを防ぐために設置したのを特徴とした循環濾過式フライヤーである。
【請求項４】
揚げ物を揚げる作業中でもカスや残物を除去するために、取り出し網（１１２）を設置する。この取り出し網（１１３）は作業中でも取り出しができるように鉄等加熱の油に溶けない金属性などのもののワイヤーが繋がり、容器（１）の外側に掛けて置き、作業中にカスや残物を除去する時はそれを引っ張り出して除去することができるようにした特徴をもつ循環濾過式フライヤーである。
【発明の詳細な説明】
【技術分野】
【０００１】  本件の発明は、循環濾過式フライヤーに関するもので、加熱手段により加熱された油が食品を揚げながら循環させることでカスや残物を効果的に収集することそして作業中でもカスや残物を除去できるようにした循環濾過式フライヤーである。
【背景技術】
【０００２】  従来のフライヤー装置は、容器の内部に設置されたヒーター又は容器の底面に設置されたバーナーから発生する熱を使って油を加熱させ、過熱された油を使って食品を揚げる。この過程で、揚げ物のカスや残物が発生、これらが容器内の底面に沈むが、そこはヒーター又はバーナーの火が直接当たる部分であるので、カスや残物を酸化させ、油を汚す問題点があった。このような問題点を改善するための装置として韓国実用新案第３８２１３７号“フライヤー装置”が提案された。このフライヤー装置は揚げ物のカスや残物がバーナー等の火に直接当たらないように容器内の底面を斜めにすることでカスや残物を片面に集まるようにしたものである。しかし、この装置はバーナーの熱が容器の底面に接し、容器の内部にある油を温める時、加熱された油は容器内で上昇しながら対流作用になり、片面に集まったカスや残物を浮かべさせ、加熱された油によって酸化されるという問題点がある。
また、油の酸化防止のためにカスや残物を回収する装置としてフライヤー容器に連結管を設置し、連結管の間に油循環モーター及びカスや残物を収集できる収集箱を結合した強制循環式フライヤー装置を提案した。強制循環式フライヤー装置は連結管、モーター、カスや残物を収集できる収集箱など別途の装備を付加的に設置しなければならないという複雑さや高価である短所と小型のフライヤーには設置が難しい問題点がある。
【発明の開示】
【発明が解決しようとする課題】
【０００３】本件の発明は、従来の問題点を解決するためのものとして、その目的は、油の過熱空間と食品を揚げる揚げ空間と区画する隔離板（３）を設置することで加熱手段により加熱空間から加熱された油が揚げ空間に移動し、食品を揚げながら循環するときにカスや残物をより効果的に収集できるようにした循環濾過式フライヤーを提供することにある。
【課題を解決するための手段】
【０００４】本件の発明を達成するための循環濾過式フライヤーは、ヒーター又はバーナーを利用した過熱手段で容器の油を加熱して食品を揚げるフライヤー装置において、容器内部を加熱空間と揚げ空間に区画し、その区画（隔離板（３））は水平部と垂直部に繋がり、垂直部沿って上側の方に油が流れるように隔離板（３）を設置し、隔離板（３）の下部の油流入口がある揚げ空間を下部まで延長してカスや残物を収集できるようにする収集空間を設ける。この収集空間でカスや残物を排出するバルブが装着される。加熱空間で加熱された油が吐出部から流れて揚げ空間に移動し、食品を揚げながら流入口に移動するときに油に混ぜてあるカスや残物が非加熱収集空間に落下され、収集されるようにしたのが課題を解決する手段であり、技術的な構造上の特徴である。
【発明の効果】
【０００５】本件の発明は、容器内部に装着してある隔離板により油の過熱空間と食品を揚げる揚げ空間に区画され、加熱手段によって加熱空間から加熱された油が揚げ空間に移動して食品を揚げながら繰り返して循環する時にカスや残物を非加熱の収集空間により効果的に収集することで油の酸化防止が効果的になる。さらに、従来であると、加熱時には容器内部の底面にあるカスや残物を取り除くことができない。そうなると、カスや残物が焦げて酸化される。それによって、油の質が落ちるし、さらに揚げ物の味も落ちることになるが、本件の発明を適用することでこのような問題点を解決し、効果を得られる。
【発明を実施するための最良の形態】
【０００６】図２と図３のようにヒーター又はバーナーを利用して加熱手段（２）で容器（１）に入ってある油を加熱して揚げるフライヤー装置にあり、容器（１）の内部を加熱空間（１１）と揚げ空間（１２）を分離させる隔離板（３）を設置することにより、加熱することで油（９）が油流入口（１１１）に流れ、隔離板（３）である水平部（３２）と垂直部（３１）に沿って流れて吐出口（１１２）を通過する仕組み。隔離板（３）は固定又は着脱が可能であるように設置、隔離板（３）があることで油が回転することになるし、回転することで揚げ物のカスや残物も油の流れと同じく流れるが、そのカスや残物を集める収集空間（４）を設けることと、カスや残物を排出するバルブ（５）を装着してカスや残物を除去できるようにするシステムである。加熱された油が吐出部（１１２）を通って流れ、揚げ空間（１２）に移動され、揚げ物を揚げ、油流入部（１１１）に移動される際に油に混ぜてあるカスや残物が収集空間（４）に集まり、収集されるようにしたのを特徴とした循環濾過式フライヤーである。【０００７】図２と図３のように、隔離板（３）の水平部（３２）が傾斜になるように斜めにし、加熱された油が円滑に油流入口（１１１）向かって流れるようにすることとカスや残物が円滑に落下又は収集ができるようにしたことを特徴とした循環濾過式フライヤーである。【０００８】図２と図３のように、加熱空間（１１）の油流入口（１１１）にはカスや残物が加熱空間（１１）に流入することを遮断するために網（６）を着脱できるように設置し、隔離板（３）の吐出口（１１２）には揚げ物とカスや残物等が加熱空間（１１）に流入されることを防ぐためにガイド板（７）を配置し、揚げ空間（１２）の中間部分に水平になるメイン網（８）が隔離板（３）及び容器（１）の垂直面に付着された足場（１３）に載せて揚げ物が加熱空間（１１）及び収集空間（４）に落下することを防ぐために設置したのを特徴とした循環濾過式フライヤーである。【０００９】図２と図３のように、揚げ物を揚げる作業中でもカスや残物を除去するために、取り出し網（１１３）を設置する。この取り出し網（１１３）は作業中でも取り出しができるように鉄等加熱の油に溶けない金属性などのものでワイヤー等の金属性の手摺りが繋がり、容器（１）の外側に掛けて置き、作業中にカスや残物を除去する時は出し網（１１３）を引っ張り出して除去することができるようにした特徴をもつ循環濾過式フライヤーである。
【実施例】
【００１０】図１及び図２は実施例による循環濾過式フライヤー正面図及び断面図として、符号１は容器、２はヒーター又はバーナーを用いた加熱手段、３は隔離板、４は収集空間、５はバルブ、６は網、７はガイド板、８はメイン網、９は油、１１は加熱空間、１２は揚げ空間、１３は足場、３１は垂直部、３２は水平部、３３は支え台、排気口（１０）、１１１は油流入口、１１２は吐出口、１１３は取り出し網を表す。
本件の発明である循環濾過式フライヤーはヒーター又はバーナーを用いる加熱手段（２）は上部が開放された円形又は四角形の形をしてある容器（１）の内部又は底面に設置された容器（１）にある油（９）を直接又は間接に加熱するようになる。
加熱手段（２）のヒーターは電気を使うし、バーナーはガスを使う。バーナーを利用する加熱手段（２）の場合、容器（１）の底面にガスの燃焼する熱が接触されることで油（９）を一時加熱しながら排気熱が容器の側面に接触しながら排気口（１０）に排出される時に加熱されて上昇する油（９）の流れをより円滑になるよう加熱温度を維持させる。【００１１】容器（１）は加熱手段（２）により加熱された油（９）が循環できるように、その内部を加熱空間（１１）と揚げ空間（１２）を区画した。
容器（１）内部の加熱空間（１１）及び揚げ空間（１２）の区画は折曲を形成する金属板である隔離板（３）を装着することで成り立つ。隔離板（３）が容器（１）内部を加熱空間（１１）と揚げ空間（１２）で区画され、加熱空間（１１）を設けるための隔離板（３）により容器（１）の底面の片面に油（９）が流れるように流入口（１１１）が設けられ、加熱手段（２）により油（９）が加熱され、対流作用によって油が上昇できるように水平部（３２）から上側につながる垂直部（３１）を設ける。垂直部（３１）の上側には油の吐出口（１１２）が設けられる。隔離板（３）により区画された加熱空間（１１）は揚げ空間（１２）より約１／３−１／２程度に小さく形成され、それによって油（９）の加熱が早くなると同時に垂直部（３１）に沿って上昇しながら揚げ空間（１２）に移動し、再び流入口（１１１）へ移動される循環過程が円滑になるように構成される。【００１２】本件の別の実施例として、図３では同じ加熱手段〔２〕によって加熱空間〔１１〕にある油〔９〕が加熱されて上昇する時、円滑に移動するように隔離板（３）の水平部（３２）を下向きの斜めになるように設ける。  隔離板（３）の水平部（３２）は傾斜になるように設けられてあるから落下するカスや残物を効果的に収集する役割を果たす。また、隔離板（３）を容器（１）に溶接などで固定して装着するだけではなく、掃除しやすくするように図３と同じく間隔を維持できるように水平又は垂直方向に支え台（３３）を付着して脱着可能のようにする。
また、隔離板（３）の油の流入口（１１１）がある揚げ空間（１２）を下側に延長させてカスや残物をあつめる収集空間（４）になるようにする。この収集空間（４）は非加熱空間であるから集まったカスや残物等の酸化を防げるし、収集空間（４）に集まったカスや残物を人為的に排出することができるようにバルブ（５）を装着する。【００１３】別の実施例としては、図３と同じく隔離板（３）の油流入口（１１１）にはカスや残物等が加熱空間（１１）に流入されることを防ぐために網（６）が脱着できるように配置し、隔離板（３）の吐出口（１１２）には作業中に食品の流入を防ぎながら流れる加熱する油（９）を揚げ空間（１２）に案内するガイド板（７）をさらに配置することができ、揚げ空間（１２）の中間の片面は隔離板（３）の水平部（３２）の斜め上段に片面が接しながら、反対の面は容器（１）の垂直面に装着された足場（１３）に載せてメイン網（８）を配置して水平状態で揚げ物が過熱空間（１１）の流入部（１１１）及びカスや残物の収集空間（４）で比較的に大きいカスや残物の落下を防ぐように構成することができる。
【産業上の利用可能性】
【００１４】本件の発明は、加熱手段で温めた油（油だけではなく全ての液体を利用したものも該当する）を循環させるように隔離板を設けたこと、液体の中でカスや残物等の流入を遮断すること、そして作業中にも液体の中にあるカスや残物等を取り除くことができるようにしたこと、非加熱空間を設けることで油の酸化や汚しを防ぐことなどが考案されたものであるが、これは、単なるフライヤーだけが範囲に入るのではなく、これを応用するすべての産業分野に該当するものとする。
【図面の簡単な説明】
【００１５】
【図１】は、本件発明の循環濾過式フライヤー斜視図
【図２】は、本件発明の循環濾過式フライヤー断面図
【図３】は、本件発明による別の実施例の循環濾過式フライヤー断面図
【符号の説明】
【００１６】１：容器          ２：加熱手段    ３：隔離板    ４：収集空間    ５：バルブ
６：メイン網      ７：ガイド板    ９：油      １０：排気口    １１：加熱空間
１２：揚げ空間  １３：足場      ３１：垂直部  ３２：水平部    ３３：支え台
１１１：油流入口    １１２：吐出口    １１３：取り出し網
【図１】
2009247838.tif 000003
【図２】
2009247838.tif 000004
【図３】
2009247838.tif 000005